(57)【要約】【課題】  魚類、水生動物および水生植物等を飼育する水槽におけるアクアリウムとしての装飾性を高めたり、室内や店頭のディスプレイ等におけるアート的要素として用いることができるようにする。【解決手段】  隔壁８を挟んで、その一側が貯留槽１Ａ、同他側が装飾槽１Ｂとなされ、該装飾槽１Ｂの下部には底壁７の上方に位置する内底壁１４が設けられ、内底壁１４の下側には前後方向に二分割され、左右方向に伸びる通水路１７Ａ・１７Ｂが形成されており、前記内底壁１４には両通水路１７Ａ・１７Ｂへ水を導入する吸水口が形成され、前記隔壁８の下端部には両通水路１７Ａ・１７Ｂに通ずる連通口１０ａが形成されており、前記貯留槽１Ａの底部には水中ポンプＰが設置され、水中ポンプＰの吐出部ＯＰには前記隔壁８から装飾槽１Ｂへ伸びる噴流パイプ１２が取り付けられている。【選択図】  図１
2019024463.tif 000002
【特許請求の範囲】
【請求項１】
対向する前後壁と、前後壁の左端部間に設けられた左側壁と、前後壁の右端部間に設けられた右側壁と、前後壁および左右側壁によって形成された下側開口を閉止する底壁とで構成された平面から見て横長方形の装飾用水槽であって、前記左右側壁のいずれか一側寄り部分にはその一側壁と平行に隔壁が設けられて、該隔壁と一側壁との間が貯留槽となされ、隔壁を挟んで前記貯留槽の反対側が装飾槽となされ、該装飾槽の下部には前記底壁の上方に位置する内底壁が設けられ、該内底壁の下側には前後方向に二分割され、左右方向に伸びる通水路が形成されており、前記内底壁には両通水路へ水を導入する吸水口が形成され、前記隔壁の下端部には両通水路に通ずる連通口が形成されており、前記貯留槽の底部には水中ポンプが設置され、水中ポンプの吐出部には前記隔壁から装飾槽の内底壁上へ伸びる噴流パイプが取り付けられ、該噴流パイプの上側に形成された透孔から水が上方へ噴出するようになされ、その流れに乗って、予め装飾槽内に入れられた多数の装飾用浮遊体が水中を漂うようになされている、装飾用水槽。
【請求項２】
内底壁が断面Ｖ字形またはＵ字形であって、中央部が底壁上に取り付けられて、その前後にそれぞれ通水路が形成されている、請求項１記載の装飾用水槽。
【請求項３】
吸水口が内底壁のほぼ全長にわたって伸びる前後一対のスリットである、請求項１または請求項２記載の装飾用水槽。
【請求項４】
請求項１〜請求項３のうちのいずれか一項記載の装飾用水槽が水槽本体に一体に設けられた、装飾用水槽付き水槽。
【発明の詳細な説明】
【技術分野】
【０００１】
本発明は、主として、室内のインテリアとして使用する装飾用水槽に関する。
【背景技術】
【０００２】
一般に、熱帯魚や淡水魚等の魚類およびシュリンプ等の水生動物、或は水草といった水生植物を飼育する水槽は、全体が立方体形状の中空容器であって、透明なガラスまたはプラスチックで構成されている。
【０００３】
また、規格水槽としては、４５ｃｍ水槽（４５×２４×３０）、６０ｃｍ水槽（６０×３０×３６）、或は９０ｃｍ水槽（９０×４５×４５）といった種々のものがある。
【０００４】
近年、犬や猫に代わるペットとして、飼育が比較的容易な前記水生動物や水生植物を選ぶ人が増加しており、更に所謂、「アクアリウム」という室内のインテリアとして愛好する傾向が強くなっている。
【０００５】
そして、前記「アクアリウム」の趣向を高めるための装飾物も種々作製されており、例えば、周壁が透明な水槽本体と、水槽本体の底に設けられた発泡装置とからなり、発泡装置は、エアポンプと気泡発生部とを有し、気泡発生部には、上面に空気孔を持ち、下面開放の空気留めが一縁を支点として傾動自在に設けられ、前記空気留めの下方にはエアポンプから送られた空気の吹出口が設けられ、吹出口から供給された空気が前記空気留めの下面に一旦留まり、所定量になると、該空気が空気孔から一気に抜け出すと同時に、空気留めが浮力の消失によって下方傾動し、最終的に前記空気孔から出た気泡はリング状となって、水槽本体内を浮上するようにした発泡装飾水槽が知られている。
【先行技術文献】
【特許文献】
【０００６】
【特許文献１】特開２００３−０３９８９６号公報
【発明の概要】
【発明が解決しようとする課題】
【０００７】
前項で例示したような装飾水槽の場合、単にリング状の気泡が水槽本体の底部から浮上するだけであり、視覚的な装飾効果が高くない上、もともと水槽には酸素が供給されるため、気泡自体に斬新性がないことから、アート性にも乏しいといった課題があった。
【０００８】
本発明の目的は、魚類、水生動物および水生植物等を飼育する水槽におけるアクアリウムとしての装飾性を高めたり、室内におけるアート的要素として用いることができる装飾用水槽を提供することにある。
【課題を解決するための手段】
【０００９】
請求項１記載の本発明は、対向する前後壁と、前後壁の左端部間に設けられた左側壁と、前後壁の右端部間に設けられた右側壁と、前後壁および左右側壁によって形成された下側開口を閉止する底壁とで構成された平面から見て横長方形の装飾用水槽であって、前記左右側壁のいずれか一側寄り部分にはその一側壁と平行に隔壁が設けられて、該隔壁と一側壁との間が貯留槽となされ、隔壁を挟んで前記貯留槽の反対側が装飾槽となされ、該装飾槽の下部には前記底壁の上方に位置する内底壁が設けられ、該内底壁の下側には前後方向に二分割され、左右方向に伸びる通水路が形成されており、前記内底壁には両通水路へ水を導入する吸水口が形成され、前記隔壁の下端部には両通水路に通ずる連通口が形成されており、前記貯留槽の底部には水中ポンプが設置され、水中ポンプの吐出部には前記隔壁から装飾槽の内底壁上へ伸びる噴流パイプが取り付けられ、該噴流パイプの上側に形成された透孔から水が上方へ噴出するようになされ、その流れに乗って、予め装飾槽内に入れられた多数の装飾用浮遊体が水中を漂うようになされているものである。
【００１０】
前記装飾用浮遊体としては、前記装飾槽内を浮遊し得るものであれば良く、特に限定されないが、例えば比重の軽いゲル状物質やスノードームに入れられるスノーフレーク、或は人工または天然のクラゲ等々、種々のものが含まれる。
【００１１】
請求項２記載の本発明は、前記請求項１記載の装飾用水槽について、内底壁が断面Ｖ字形またはＵ字形であって、中央部が底壁上に取り付けられて、その前後にそれぞれ通水路が形成されていることを特徴とする。
【００１２】
請求項３記載の本発明は、請求項１または請求項２記載の装飾用水槽について、吸水口が内底壁のほぼ全長にわたって伸びる前後一対のスリットであることを特徴とする。
【００１３】
請求項４記載の本発明は、前記請求項１〜請求項３のうちのいずれか一項記載の装飾用水槽が水槽本体に一体に設けられた装飾用水槽付き水槽である。
【発明の効果】
【００１４】
本発明に係る装飾用水槽によれば、装飾槽下部の噴流パイプの透孔から上方へ噴出した水が装飾槽上部で前後に分流した後、前後壁に沿って下降し、該下降水は内底壁に設けられた吸水口から吸い込まれて、前後一対の通水路に流入し、更に通水路に流入した水は隔壁下端の連通口を通って貯留槽へ流入する。そして、該水は、貯留槽内の水中ポンプに吸引された後、再び前記噴流パイプの透孔から上方へ噴出するという循環が行われ、このような水の循環において、装飾槽内での前述した水の上方への噴出と、その後の下降によって、装飾槽内の装飾用浮遊体が装飾槽内を優雅に漂い、これを見た人はゆったりとした気分になると共に、漂う装飾用浮遊体によって、視覚的なアート性を感じるという従来の水槽では得られなかった格別の効果を齎される。そして、このような効果を有する本願発明の装飾用水槽は、部屋のインテリアやショーウインドゥにおけるディスプレイ等として利用することができ、また装飾槽内には前記装飾用浮遊体と共に、熱帯魚や淡水魚等の魚類、シュリンプ等の水生動物を飼育することもできる。
【００１５】
また、前記本願発明に係る装飾用水槽について、内底壁が断面Ｖ字形またはＵ字形であって、中央部が底壁上に取り付けられて、その前後にそれぞれ通水路が形成された請求項２記載の装飾用水槽によれば、前記断面Ｖ字形またはＵ字形の内底壁によって、前述した装飾槽上部で分流した水の下降がいっそう促進され、装飾槽内における水の流動が更にスムーズになり、その結果、前述した装飾用浮遊体による視覚的効果が更に高められる。
【００１６】
また、吸水口が内底壁のほぼ全長にわたって伸びる前後一対のスリットである請求項３記載の装飾用水槽によれば、前述した請求項２記載の効果が更に増長される。
【００１７】
この他、前記請求項１〜請求項３のうちのいずれか一項記載の装飾用水槽が水槽本体に付設された請求項４記載の装飾用水槽付き水槽は、熱帯魚や淡水魚等の魚類およびシュリンプ等の水生動物、或は水草といった水生植物を飼育する通常の水槽と併設して使用することができる。また、市販されている通常の既存水槽に対して、合体させるように、本願発明に係る装飾用水槽を別途付けるようにする場合もある。
【図面の簡単な説明】
【００１８】
【図１】実施形態１に係る装飾用水槽を一体に有する水槽本体の斜視図である。
【図２】同実施形態における水槽の横断面図である。
【図３】同実施形態における水槽の縦断面図である。
【図４】同実施形態における水槽の平面図である。
【図５】実施形態２に係る装飾用水槽の斜視図である。
【発明を実施するための形態】
【００１９】
次に、本発明の実施形態を図面にしたがって説明するが、本発明はかかる実施形態に限定されるものではない。
【００２０】
（実施形態１）
【００２１】
図  に示すように、本実施形態に係る装飾用水槽１は、熱帯魚や淡水魚等の魚類およびシュリンプ等の水生動物、或は水草といった水生植物を飼育するための水槽本体２の後方に一体に設けられたものである。
【００２２】
すなわち、水槽本体２は、前壁３、両側壁４・５、後壁６および底壁７で構成され、後壁６の前方に該後壁６と平行に後内壁３７が形成されて、該後内壁７の後側が装飾用水槽１となされている。そのため、本実施形態では、水槽本体２の両側壁４・５および底壁７の各後部が装飾用水槽２の両側壁および底壁となっており、また水槽本体２の後壁６が装飾用水槽１の後壁、前記後内壁７が装飾用水槽１の前壁となっている。したがって、装飾用水槽１は平面から見て横長方形となされている。
【００２３】
装飾用水槽１内の右側寄り部分には右側壁５と平行に隔壁８が形成されて、該隔壁８と右側壁５との間が貯留槽１Ａとなされ、隔壁８を挟んで前記貯留槽１Ａの反対側が装飾槽１Ｂとなされている。また、隔壁８の下端には、横長の切欠き８ａが形成され、これら切欠き８ａと底壁７との間が連通口１０ａとなされている。
【００２４】
そして、該装飾槽１Ｂの下部には、底壁７の上方に位置する断面Ｖ字形の内底壁１４が設けられ、内底壁１４の中央部１４ａが底壁７上に固定されて、その前後方向に二分割された形態の通水路１７Ａ・１７Ｂが形成されており、前記内底壁１４の前後板１４Ａ・１４Ｂには両通水路１７Ａ・１７Ｂへ水を導入する吸水口としてのスリット１５が内底壁１４の全長にわたって、且つ前後に所定間隔をあけて並列に形成されている。
【００２５】
また、前記貯留槽１Ａの底部には水中ポンプＰが設置され、水中ポンプＰの吐出部ＯＰには前記隔壁８から装飾槽２Ｂ内の内底壁１４の上側へ伸びる噴流パイプ１２が取り付けられ、前記噴流パイプ１２の上側に形成された透孔１３から水が上方へ噴出するようになされ、その流れに乗って、予め装飾槽１Ａ内に入れられた多数の装飾用浮遊体１６が水中を漂うようになされている。装飾用浮遊体１６は、本実施形態では、比重の軽いゲル状の球体であって、淡いピンク色や水色、黄色といった種々の呈色が施されているものである。
【００２６】
なお、前記噴流パイプ１２の先端１２ｂは蓋体１２ｃによって閉止されている。また、前記透孔１３は、より詳細には噴流パイプの長さ方向に所定間隔をあけて複数列設されている。
【００２７】
この他、前記水中ポンプＰは、その下面が吸水口ＩＰとなっている。また前記貯留槽１Ａと装飾槽１Ｂはそれらの隔壁８の下端に形成された前記連通口１０ａ・１０ｂを介して下部で連通する構造となされている。
【００２８】
次に、本実施形態に係る装飾用水槽１並びに水槽本体２の使用方法について説明すると、装飾用水槽１並びに水槽本体２に水を入れた状態で、装飾用水槽１内の水中ポンプＰを作動させることにより、装飾槽１Ｂ下部の内底壁１４の両スリット１５から水が吸い込まれて、該水が通水路１７Ａ・１７Ｂを通って貯留槽２Ａ内に流入し、水中ポンプＰの吸水口ＩＰに吸い込まれた後、噴流パイプ１２へ流出する。そして、噴流パイプ１２の各透孔１３から上方に水が噴出され、これによって水の上昇流ＵＷが発生する。その後、水は装飾槽１Ｂの上部において、前後方向に分流して下降流ＤＷとなり、該水が再び内底壁１４のスリット１５から吸い込まれる。
【００２９】
そして、前述したような水の上昇流ＵＷおよび下降流ＤＷに乗って装飾用浮遊体１６も同様に装飾槽１Ｂ内を浮遊するため、その挙動によってゆったりとした視覚的装飾効果が演出される。
【００３０】
（実施形態２）
【００３１】
図５に示すように、前述した実施形態１に係る装飾用水槽１は、水槽本体１の後方に一体に設けたものであったが、本実施形態の装飾用水槽２１は、前記実施形態１における装飾用水槽１だけを独立させたものである。
【００３２】
すなわち、前記実施形態１では、水槽本体２の後部を装飾用水槽１としたものであったが、本実施形態の装飾用水槽２１は、前記実施形態１における装飾用水槽１に相当する前後幅を有する左右壁２４・２５と、前記実施形態１における水槽本体２の後壁６と後内壁７に相当する前壁２３および後壁２６と、これら前後壁２３・２６および左右壁２４・２５によって形成される底部開口を閉止する底壁２７を有するものである。そして、前記実施形態１と同様、隔壁２８によって、貯留槽２１Ａと装飾槽２１Ｂが形成されている。
【００３３】
本実施形態に係る装飾用水槽２１自体の構造は前記実施形態１における装飾用水槽１と同様であるため、実施形態１と同じ符号を付すことにより説明を省略する。
【産業上の利用可能性】
【００３４】
本発明に係る装飾用水槽によれば、その内部を循環するゆったりとした湧昇流様の滞留に乗って装飾用浮遊体が優雅に舞うような視覚的効果が得られるため、アクアリウムやインテリア等の分野で幅広い利用が期待できる。
【符号の説明】
【００３５】
１・２１  装飾用水槽
１Ａ・２１Ａ  貯留槽
１Ｂ・２１Ｂ  装飾槽
２  水槽本体
３・２３  前壁
４・２４  左側壁
５・２５  右側壁
６・２６  後壁
７・２７  底壁
８・２８  隔壁
１２  噴流パイプ
１３  透孔
１４  内底壁
１５  スリット
１６  装飾用浮遊体
１７Ａ・１７Ｂ  通水路
Ｐ  水中ポンプ
ＯＰ  水中ポンプの吐出部
【図１】
2019024463.tif 000003
【図２】
2019024463.tif 000004
【図３】
2019024463.tif 000005
【図４】
2019024463.tif 000006
【図５】
2019024463.tif 000007